(57)【要約】【課題】主食、主菜および副菜をそれぞれ３：１：２の割合（容積比）で収納可能な弁当箱および弁当箱用メジャーシートを提供する。【解決手段】弁当箱用メジャーシート２０は、一段で使用される弁当箱における本体の開口部に載せて使用される。このシート２０は、本体の内部に収容される食物を目視可能な素材で形成されており、本体の開口部形状に相当する外形表示線２１ａが設けられ、この外形表示線２１ａ内を３：１：２の面積比で区画表示可能な区画線２１ｂ〜２１ｉが設けられている。前記弁当箱における本体に、その内部を３：１：２の容積比で区画可能な区画表示部としての突起部を一体的に設けることも可能である。また、突起部を一体的に設けた弁当箱と、シート２０からなる弁当箱セットとすることも可能である。【選択図】図１８
2007330456.tif 000002
【特許請求の範囲】
【請求項１】
一段で使用される弁当箱における本体の開口部に載せて使用される弁当箱用メジャーシートであり、前記本体の内部に収納される食物を目視可能な素材で形成されていて、前記本体の開口部形状に相当する外形表示線を設けるとともに、この外形表示線内を３：１：２の面積比で区画表示する区画線を設けてなる弁当箱用メジャーシート。
【請求項２】
請求項１に記載した弁当箱用メジャーシートにおいて、前記区画線は、前記外形表示線内を６の倍数で等分に区画する区画線であることを特徴とする弁当箱用メジャーシート。
【請求項３】
収納容量が同じで上下二段で使用される上段弁当箱および下段弁当箱の何れか一方における本体の開口部に載せて使用される弁当箱用メジャーシートであり、前記本体の内部に収納される食物を目視可能な素材で形成されていて、前記本体の開口部形状に相当する外形表示線を設けるとともに、この外形表示線内を１：２の面積比で区画表示する区画線を設けてなる弁当箱用メジャーシート。
【請求項４】
請求項３に記載した弁当箱用メジャーシートにおいて、前記区画線は、前記外形表示線内を３の倍数で等分に区画する区画線であることを特徴とする弁当箱用メジャーシート。
【請求項５】
請求項１〜４のうちの何れか一つに記載した弁当箱用メジャーシートにおいて、前記本体の内部に収納される食物の収納容量を測定可能な表示部が設けられていることを特徴とする弁当箱用メジャーシート。
【請求項６】
請求項１〜５のうちの何れか一つに記載した弁当箱用メジャーシートにおいて、前記弁当箱の内部に収納される主食の詰み込み例、主菜の詰み込み例および副菜の詰み込み例を表示した図形が設けられていることを特徴とする弁当箱用メジャーシート。
【請求項７】
一段で使用される弁当箱であって、その本体の内部を３：１：２の容積比で区画可能な区画表示部を設けてなる弁当箱。
【請求項８】
収納容量が同じで上下二段で使用される上段弁当箱および下段弁当箱からなる弁当箱であって、前記上段弁当箱および前記下段弁当箱のうちの何れか一方の本体の内部を１：２の容積比で区画可能な区画表示部を設けてなる弁当箱。
【請求項９】
請求項７または８に記載した弁当箱において、前記本体の内部に収納される食物の収納容量を測定可能な深さ表示部が設けられていることを特徴とする弁当箱。
【請求項１０】
請求項７〜９のうちの何れか一つに記載した弁当箱において、前記区画表示部は、前記本体に一体的に形成された突起部または凹部であることを特徴とする弁当箱。
【請求項１１】
請求項７〜９のうちの何れか一つに記載した弁当箱において、前記区画表示部は、前記
本体に脱着可能な仕切板で構成されていることを特徴とする弁当箱。
【請求項１２】
請求項１に記載した弁当箱用メジャーシートと、請求項７に記載した弁当箱からなる弁当箱セット。
【請求項１３】
請求項３に記載した弁当箱用メジャーシートと、請求項８に記載した弁当箱からなる弁当箱セット。
【発明の詳細な説明】
【技術分野】
【０００１】
本発明は、食物を同食物の分類に応じて所定の比率で収納可能な弁当箱および弁当箱用メジャーシートならびに同弁当箱と弁当箱用メジャーシートからなる弁当箱セットに関する。
【背景技術】
【０００２】
食物を同食物の分類に応じて収納可能な弁当箱の一つは、例えば下記特許文献１に記載されている。この特許文献１に記載されている弁当箱においては、その本体に鉛直軸線回りに回転可能な３枚の仕切板が設けられている。そして、この弁当箱では、各仕切板を任意の回転位置に設定することで、食物の詰め込みパターンを増やすことが可能である。
【特許文献１】特開２００３−１５９１１２号公報
【発明の開示】
【０００３】
ところで、理想的な栄養バランスの観点から、食物を、同食物の分類に応じて３：１：２の容積比すなわち主食を３、主菜を１、副菜を２の割合で摂取することが推奨されている。しかしながら、上記特許文献１に記載された弁当箱では、食物の詰め込みパターンを増やすことは可能であるが、主食、主菜および副菜の割合（容積比）をそれぞれ３：１：２として収納する点については何ら考慮されていないため、上記推奨案を実践することができない。したがって、上記推奨案を実践すべく、主食、主菜および副菜をそれぞれ３：１：２の割合で収納するための弁当箱またはその補助器具の開発が望まれていた。
【０００４】
本発明は、上記課題（要望）に対処するためになされたものであり、その目的は、上記した推奨案を実践するために、主食、主菜および副菜をそれぞれ３：１：２の割合（容積比）で収納可能な弁当箱（商品名、「３・１・２弁当箱法」弁当箱）またはその補助器具（弁当箱用メジャーシート；商品名、ランチボックスメジャー）を提供することにある。
【０００５】
上記目的を達成するため、本発明においては、一段で使用される弁当箱における本体の開口部に載せて使用される弁当箱用メジャーシートを、前記本体の内部に収納される食物を目視可能な素材で形成して、前記本体の開口部形状に相当する外形表示線を設けるとともに、この外形表示線内を３：１：２の面積比で区画表示する区画線を設けたことに特徴がある。
【０００６】
この弁当箱用メジャーシートでは、その外形表示線が、一段で使用される弁当箱における本体の開口部に一致するように、同弁当箱用メジャーシートを本体に載せることで、本体の開口面を区画線により３：１：２の面積比で区画した状態としながら、本体の内部に収納される食物を目視することができる。このため、本体に食物を詰め込んだ後で、この弁当箱用メジャーシートを用いることによって、主食、主菜および副菜がそれぞれ３：１：２の割合（容積比）で収納されているか否かを容易に確認することが可能である。したがって、この弁当箱用メジャーシートは、一段で使用される弁当箱に主食、主菜および副菜をそれぞれ３：１：２の割合（容積比）で収納する際に極めて便利であるとともに、例えば上記推奨案を指導するためのセミナー等における実習用補助教材としても最適である。
【０００７】
また、本発明の実施に際して、前記区画線は、前記外形表示線内を６の倍数で等分に区画する区画線であることも可能である。この場合には、本体の開口面を区画線により６の倍数で等分に区画することができ、本体の開口面を３：１：２の面積比に区画するパターンを増やすことが可能である。これにより、主食、主菜および副菜をそれぞれ３：１：２の割合（容積比）としながら、食物の詰め込みパターンを増やすことが可能である。
【０００８】
また、上記目的を達成するため、本発明においては、収納容量が同じで上下二段で使用される上段弁当箱および下段弁当箱の何れか一方における本体の開口部に載せて使用される弁当箱用メジャーシートを、前記本体の内部に収納される食物を目視可能な素材で形成して、前記本体の開口部形状に相当する外形表示線を設けるとともに、この外形表示線内を１：２の面積比で区画表示する区画線を設けたことに特徴がある。
【０００９】
この弁当箱用メジャーシートでは、その外形表示線が、上段弁当箱および下段弁当箱の何れか一方における本体の開口部に一致するように、同弁当箱用メジャーシートを本体に載せることで、本体の開口面を区画線により１：２の面積比で区画した状態としながら、本体の内部に収納される食物を目視することができる。このため、上段弁当箱および下段弁当箱の何れか一方の本体の内部に副食としての主菜および副菜を詰め込んだ後で、この弁当箱用メジャーシートを前記一方の本体に用いることによって、主菜と副菜とが１：２の割合（容積比）で収納されているか否かを容易に確認することが可能である。なお、上段弁当箱および下段弁当箱の何れか他方の本体の内部には主食が全体に収納される。これにより、上段弁当箱および下段弁当箱の全体として、主食、主菜および副菜をそれぞれ３：１：２の割合（容積比）で収納することが可能である。したがって、この弁当箱用メジャーシートは、収納容量が同じで上下二段で使用される弁当箱に主食、主菜および副菜をそれぞれ３：１：２の割合（容積比）で収納する際に極めて便利であるとともに、例えば上記推奨案を指導するためのセミナー等における実習用補助教材としても最適である。
【００１０】
また、本発明の実施に際して、前記区画線は、前記外形表示線内を３の倍数で等分に区画する区画線であることも可能である。この場合には、前記一方の本体の開口面を区画線により３の倍数で等分に区画することができ、同一方の本体の開口面を１：２の面積比に区画するパターンを増やすことが可能である。これにより、主菜と副菜とを１：２の割合（容積比）としながら、副食の詰め込みパターンを増やすことが可能である。
【００１１】
また、本発明の実施に際して、前記弁当箱用メジャーシートに、前記本体の内部に収納される食物の収納容量を測定可能な表示部が設けられていることも可能である。この場合には、例えば本体に定容量の食物を収納できることに加えて、定容量から所定量減量した少容量の食物を収納することが可能である。
【００１２】
また、本発明の実施に際して、前記弁当箱用メジャーシートに、前記弁当箱の内部に収納される主食の詰み込み例、主菜の詰み込み例および副菜の詰み込み例を表示した図形が設けられていることも可能である。この場合には、前記図形を参照することによって、容易に主食、主菜および副菜をそれぞれ３：１：２の割合（容積比）で収納することが可能である。
【００１３】
また、上記目的を達成するため、本発明においては、一段で使用される弁当箱で、その本体の内部を３：１：２の容積比で区画可能な区画表示部を設けたことに特徴がある。
【００１４】
この一段の弁当箱では、その本体の内部に食物を詰め込む際に、区画表示部を目安として用いることによって、主食、主菜および副菜をそれぞれ３：１：２の割合（容積比）で容易に収納することが可能である。
【００１５】
また、上記目的を達成するため、本発明においては、収納容量が同じで上下二段で使用される上段弁当箱および下段弁当箱からなる弁当箱で、前記上段弁当箱および前記下段弁当箱のうちの何れか一方の本体の内部を１：２の容積比で区画可能な区画表示部を設けたことに特徴がある。
【００１６】
この二段の弁当箱では、上段弁当箱および下段弁当箱のうちの何れか一方の本体の内部に副食を詰め込む際に、区画表示部を目安として用いることによって、主菜と副菜とを１：２の割合（容積比）で容易に収納することが可能である。なお、上段弁当箱および下段弁当箱の何れか他方の本体には主食が全体に収納される。これにより、上段弁当箱および下段弁当箱の全体として、主食、主菜および副菜をそれぞれ３：１：２の割合（容積比）で収納することが可能である。
【００１７】
また、本発明の実施に際して、前記一段の弁当箱および前記二段の弁当箱には、前記本体の内部に収納される食物の収納容量を測定可能な深さ表示部が設けられていることも可能である。この場合には、前記深さ表示部を目安として用いることによって、例えば本体に定容量の食物を収納できることに加えて、定容量から所定量減量した少容量の食物を収納することが可能である。
【００１８】
また、本発明の実施に際して、前記一段の弁当箱および前記二段の弁当箱における前記区画表示部は、前記本体に一体的に形成された突起部または凹部であることも可能である。この場合には、シンプルかつ安価に実施することが可能であるとともに、触覚でも容易に前記区画表示部を認識することが可能である。
【００１９】
また、本発明の実施に際して、前記一段の弁当箱および前記二段の弁当箱における前記区画表示部は、前記本体に脱着可能な仕切板で構成されていることも可能である。この場合には、区画表示部が本体に一体的に形成された突起部または凹部である場合に比して、本体内に食物を詰め込んでいる途中でも、仕切板を目安とすることが可能であって、主食、主菜および副菜をそれぞれ３：１：２もしくは主菜と副菜とを１：２の割合（容積比）で的確に収納することが可能である。
【００２０】
また、上記目的を達成するため、本発明においては、一段で使用される弁当箱における本体の開口部に載せて使用される弁当箱用メジャーシート、すなわち、前記本体の内部に収納される食物を目視可能な素材で形成して、前記本体の開口部形状に相当する外形表示線を設けるとともに、この外形表示線内を３：１：２の面積比で区画表示する区画線を設けたものと、一段で使用される弁当箱で、その本体の内部を３：１：２の容積比で区画可能な区画表示部を設けたものからなる弁当箱セットとすることも可能である。
【００２１】
この弁当箱セットによれば、一段の弁当箱の本体に食物を詰め込む際は、区画表示部を目安として食物を収納することができ、その本体に食物を詰め込んだ後は、弁当箱用メジャーシートで食物の収納状態を確認できるから、容易かつ的確に主食、主菜および副菜をそれぞれ３：１：２の割合（容積比）で収納することが可能である。
【００２２】
また、上記目的を達成するため、本発明においては、収納容量が同じで上下二段で使用される上段弁当箱および下段弁当箱の何れか一方における本体の開口部に載せて使用される弁当箱用メジャーシート、すなわち、前記本体の内部に収納される食物を目視可能な素材で形成して、前記本体の開口部形状に相当する外形表示線を設けるとともに、この外形表示線内を１：２の面積比で区画表示する区画線を設けたものと、収納容量が同じで上下二段で使用される上段弁当箱および下段弁当箱からなる弁当箱で、前記上段弁当箱および前記下段弁当箱のうちの何れか一方の本体の内部を１：２の容積比で区画可能な区画表示部を設けたものからなる弁当箱セットとすることも可能である。
【００２３】
この弁当箱セットによれば、二段の弁当箱の一方の本体に食物を詰め込む際は、区画表示部を目安として食物を収納することができ、その一方の本体に食物を詰め込んだ後は、弁当箱用メジャーシートで食物の収納状態を確認できるから、容易かつ的確に主菜と副菜とを１：２の割合（容積比）で収納することが可能であり、上段弁当箱および下段弁当箱の全体として、主食、主菜および副菜をそれぞれ３：１：２の割合（容積比）で収納することが可能である。
【発明を実施するための最良の形態】
【００２４】
（第１実施形態）
以下、本発明の第１実施形態を図面に基づいて説明する。図１〜図７は、本発明の第１実施形態に係る弁当箱１０を示している。弁当箱１０は、一段で使用される角形状のものであり、総容量（定容量）が例えば７００ｍｌに設定されていて、本体１１、中蓋１２および上蓋１３を備えている。
【００２５】
本体１１は、その上方に開口部１１ａを有する容器（例えば、ポリプロピレン樹脂製）であり、その底部下面に一対の脚部１１ｂを備え、底部上面にリブ１１ｃ，１１ｄ，１１ｅが一体的に形成されている。リブ１１ｃは、本体１１の内部の容積を２等分に区画可能な区画表示部としての突起部であり、本体１１の底部中央にて直線状に設けられている。
【００２６】
リブ１１ｄは、リブ１１ｃによって区画された本体１１の一側の容積を１：２の比で区画可能な区画表示部としての突起部であり、本体１１の底部の一側にてリブ１１ｃに対して略直角方向に延びる直線状に設けられている。リブ１１ｅは、リブ１１ｃによって区画された本体１１の一側の容積を１：２の比で区画可能な区画表示部としての突起部であり、本体１１の底部の一側にてリブ１１ｃに対して略直角方向に延びリブ１１ｄに対して略平行に延びる直線状に設けられている。
【００２７】
中蓋１２は、箸１４を収容可能な受け皿形状に形成されたもの（例えば、ポリプロピレン樹脂製）であり、その外周部１２ａにて本体１１の開口部１１ａに脱着可能に嵌合されるとともに、周縁部１２ｂにて本体１１の上端に係合するようになっている。上蓋１３は、中蓋１２および本体１１の上部に脱着可能なもの（例えば、ＡＢＳ樹脂製）であり、その周縁部内側に形成された段部１３ａにて中蓋１２の周縁部１２ｂ上面に係合するようになっている。
【００２８】
上記のように構成した弁当箱１０においては、本体１１の内部に食物を詰め込む際に、本体１１に設けたリブ１１ｃ〜１１ｅのうち、リブ１１ｃとリブ１１ｄを目安として用いるか、またはリブ１１ｃとリブ１１ｅを目安として用いることによって、主食、主菜および副菜をそれぞれ３：１：２の割合（容積比）で容易に収納することができる。
【００２９】
また、弁当箱１０においては、本体１１の内部を３：１：２の容積比で区画可能な区画表示部が本体１１に一体的に形成したリブ１１ｃ〜１１ｅである。このため、シンプルかつ安価に実施することが可能であるとともに、触覚でも容易に前記区画表示部を認識することが可能である。
【００３０】
（第１実施形態の変形実施形態）
上記した弁当箱１０の構成に加えて、図８に示すように、本体１１の上部内周面に、上方突起部１１ｆおよび下方突起部１１ｇを設けて実施することも可能である。上方突起部１１ｆおよび下方突起部１１ｇは、食物の収納容量を測定可能な深さ表示部としての機能を果たすものであり、上方突起部１１ｆが、定容量（例えば７００ｍｌ）の目印となり、下方突起部１１ｇが、少容量（例えば６５０ｍｌ）の目印となるものである。
【００３１】
この変形実施形態の弁当箱１０Ａによれば、上方突起部１１ｆを目安として用いることによって、本体１１に定容量（例えば７００ｍｌ）の食物を収納することができる。また、下方突起部１１ｇを目安として用いることによって、定容量（例えば７００ｍｌ）から所定量（例えば５０ｍｌ）減量した少容量（例えば６５０ｍｌ）の食物を収納することができる。
【００３２】
上記第１実施形態およびその変形実施形態においては、弁当箱１０，１０Ａを角形状に形成して実施したが、例えば、楕円形状または円形状に形成して実施することも可能であり、その形状を適宜変更して実施することも可能である。また、上記第１実施形態およびその変形実施形態においては、弁当箱１０，１０Ａの総容量（定容量）を例えば７００ｍｌに設定して実施したが、その総容量を適宜変更して実施することも可能である。
【００３３】
また、上記第１実施形態およびその変形実施形態においては、図５に示したように、本体１１に３つのリブ１１ｃ，１１ｄ，１１ｅを形成して実施したが、これに代えて、図９に示すように、リブ１１ｃ，１１ｄを形成して実施すること、または、図１０に示すように、リブ１１ｃ，１１ｅを形成して実施することも可能である。これらの実施形態においても、本体１１の内部に主食、主菜および副菜をそれぞれ３：１：２の割合（容積比）で収納することができる。
【００３４】
また、上記した３つのリブ１１ｃ，１１ｄ，１１ｅに代えて、図１１に示すように、本体１１の内部を６等分に区画可能なリブ１１ｈ，１１ｉ，１１ｊ，１１ｋ，１１ｍを設けて実施すること、または、図１２に示すように、本体１１の内部を６等分に区画可能なリブ１１ｉ，１１ｋ，１１ｎ，１１ｐ，１１ｑを設けて実施することも可能である。これらの実施形態においては、６等分に区画された領域のうちの３つの領域に主食を収納し、１つの領域に主菜を収納し、２つの領域に副菜を収納するようにすればよい。
【００３５】
また、上記した３つのリブ１１ｃ，１１ｄ，１１ｅに代えて、図１３に示すように、本体１１の内部を１２等分に区画可能なリブ１１ｈ，１１ｉ，１１ｊ，１１ｋ，１１ｍ，１１ｒ，１１ｓ，１１ｔ，１１ｕ，１１ｖ，１１ｗを設けて実施することも可能である。この場合には、１２等分に区画された領域のうちの６つの領域に主食を収納し、２つの領域に主菜を収納し、４つの領域に副菜を収納するようにすればよい。このように区画される領域の数が６の倍数で大きくなる程、食物の詰め込みパターンを増やすことが可能である。
【００３６】
また、上記した各実施形態（図１〜図１３に示した各実施形態）においては、本体の内部を区画可能なリブ（区画表示部）を本体に一体的に形成して実施したが、本体の内部を区画可能なリブに代えて本体の内部を区画可能な凹部を本体に一体的に形成して実施すること、または、本体の内部を区画可能なリブに代えて本体の内部を区画可能なペイント表示（塗装）を本体に施して実施することも可能である。これらの場合において、区画表示部を本体に断続的な直線形状（破断直線形状）で設けて実施することも可能である。
【００３７】
また、上記した各実施形態（図１〜図１３に示した各実施形態）においては、本体の内部を区画可能なリブ（区画表示部）を本体に一体的に形成して実施したが、これらのリブに代えて、図１４および図１５に示すように、本体１１に脱着可能で組立・分解可能な仕切板１５ａ，１５ｂ，１５ｃを用いて実施すること、または、図１６および図１７に示すように、本体１１に脱着可能で組立・分解可能な仕切板１６ａ，１６ｂ，１６ｃを用いて実施することも可能である。
【００３８】
図１４および図１５に示す仕切板１５ａは、本体１１の内部の容積を２等分に区画可能な区画表示部としての直線状仕切り板であり、本体１１の中央に脱着可能に配置されている。仕切板１５ｂは、図１５に示したように、その切欠を仕切板１５ａに設けた切欠に係合することにより、仕切板１５ａに分解可能に組付けられていて、仕切板１５ａによって区画された本体１１の一側の容積を１：２の比で区画可能である。仕切板１５ｃは、仕切板１５ｂと同様に、その切欠を仕切板１５ａに設けた切欠に係合することにより、仕切板１５ａに分解可能に組付けられていて、仕切板１５ａによって区画された本体１１の一側の容積を１：２の比で区画可能である。したがって、これらの仕切板１５ａ，１５ｂ，１５ｃによっても、本体１１の内部に主食、主菜および副菜をそれぞれ３：１：２の割合（容積比）で収納することが可能である。
【００３９】
図１６および図１７に示す仕切板１６ａは、本体１１の内部の容積を２等分に区画可能な区画表示部としての直線状仕切り板であり、本体１１の中央に脱着可能に配置されている。仕切板１６ｂは、図１７に示したように、その切欠を仕切板１６ａに設けた切欠に係合することにより、仕切板１６ａに分解可能に組付けられていて、仕切板１６ａによって区画された本体１１の両側の各容積をそれぞれ１：２の比で区画可能である。仕切板１６ｃは、仕切板１６ｂと同様に、図１７に示したように、その切欠を仕切板１６ａに設けた切欠に係合することにより、仕切板１６ａに分解可能に組付けられていて、仕切板１６ａによって区画された本体１１の両側の各容積をそれぞれ１：２の比で区画可能である。したがって、これらの仕切板１６ａ，１６ｂ，１６ｃによっても、本体１１の内部の６等分に区画された領域のうちの３つの領域に主食を収納し、１つの領域に主菜を収納し、２つの領域に副菜を収納することにより、本体１１の内部に主食、主菜および副菜をそれぞれ３：１：２の割合（容積比）で収納することが可能である。
【００４０】
図１４および図１５に示した実施形態および図１６および図１７に示した実施形態においては、本体１１内に食物を詰め込んでいる途中でも、仕切板１５ａ，１５ｂ，１５ｃまたは仕切板１６ａ，１６ｂ，１６ｃを目安とすることが可能であって、上記した各実施形態（本体に突起部や凹部を設けた実施形態または本体にペイント表示（塗装）を施した実施形態）に比して、主食、主菜および副菜をそれぞれ３：１：２の割合（容積比）で的確に収納することが可能である。
【００４１】
また、図８に示した上記変形実施形態においては、本体１１に深さ表示部として上方突起部１１ｆおよび下方突起部１１ｇの二つの突起部を設けて実施したが、突起部の数は適宜変更可能である。また、これらの突起部に代えて、凹部を本体に形成して実施すること、または、本体にペイント表示（塗装）を施して実施することも可能である。
【００４２】
次に、図１８〜図２２に基づいて、本発明の第１実施形態に係る弁当箱用メジャーシート２０について説明する。弁当箱用メジャーシート２０（以下、単にシート２０という）は、上記第１実施形態に係る一段の弁当箱１０における本体１１の開口部１１ａに載せて使用されるものであり、角形で薄い平板状に形成されている。また、シート２０は、同シート２０を通して本体１１の内部に収納される食物を目視可能な素材（例えば、透明または半透明の樹脂）で形成されていて、外形表示線２１ａおよび区画線２１ｂ，２１ｃ，２１ｄ，２１ｅ，２１ｆ，２１ｇ，２１ｈ，２１ｉを有している。
【００４３】
外形表示線２１ａは、弁当箱１０における本体１１の開口部１１ａの形状に相当する角形状の実線である。区画線２１ｂ〜２１ｆは、図１８にて図示縦方向に外形表示線２１ａ内を６等分に区画する実線である。区画線２１ｇは、図１８にて図示横方向に外形表示線２１ａ内を２等分に区画する実線である。区画線２１ｈ，２１ｉは、図１８にて図示横方向に外形表示線２１ａ内を３等分に区画する破線である。なお、外形表示線２１ａおよび区画線２１ｄ，２１ｇ，２１ｈ，２１ｉは、赤色で表示され、区画線２１ｂ，２１ｆは、青色で表示され、区画線２１ｃ，２１ｅは、黄色で表示されていて、各線２１ａ〜２１ｉを視覚的に容易に区別可能とされている。なお、外形表示線２１ａおよび区画線２１ｂ〜２１ｆは、その線の種類（例えば、一点鎖線、二点鎖線）を適宜変更可能であり、また、その色を適宜変更可能である。
【００４４】
また、シート２０は、３つの隅部に、それぞれ弁当箱１０における本体１１の内部に収納される主食の詰み込み例を表示する図形２２ａと、主菜の詰み込み例を表示する図形２２ｂと、副菜の詰み込み例を表示する図形２２ｃとを有するとともに、残りの隅部に、弁当箱１０における本体１１の内部に収納される食物の収納容量を測定可能な表示部としての目盛２３ａ，２３ｂを有している。目盛２３ａは、定容量（例えば７００ｍｌ）を表示し、目盛２３ｂは、少容量（例えば６５０ｍｌ）を表示する。目盛２３ａ，２３ｂを用いて、容量を測定する場合には、シート２０の、図１８にて図示左端を本体１１の底部に接するように立設させて行う。
【００４５】
上記のように構成したシート２０においては、シート２０の外形表示線２１ａが、弁当箱１０における本体１１の開口部１１ａに一致するように、シート２０を本体１１に載せることで、本体１１の開口面を区画線２１ｂ〜２１ｉにより３：１：２の面積比で区画した状態としながら、本体１１の内部を目視することができる。
【００４６】
例えば、図形２２ａ〜２２ｃで表示される詰み込み例のように、区画線２１ｄ全体と、区画線２１ｈの、図１８にて図示右側の半分を目安として用いることによって、外形表示線２１ａ内を３：１：２の面積比で区画表示することができる。これにより、本体１１の内部に食物を詰め込んだ後で、このシート２０を用いることによって、本体１１の内部に主食、主菜および副菜がそれぞれ３：１：２の割合（容積比）で収納されているか否かを容易に確認することができる。
【００４７】
また、例えば、区画線２１ｄ全体と区画線２１ｆ全体とを目安として用いることによって、また、例えば、区画線２１ｄ全体と区画線２１ｅ全体とを目安として用いることによって、本体１１の内部に食物を詰め込んだ後で、本体１１の内部に主食、主菜および副菜がそれぞれ３：１：２の割合（容積比）で収納されているかを容易に確認することができる。
【００４８】
したがって、このシート２０は、一段で使用される弁当箱１０に主食、主菜および副菜をそれぞれ３：１：２の割合（容積比）で収納する際に極めて便利であるとともに、例えば頭書に記載した推奨案を指導するためのセミナー等における実習用補助教材としても最適である。
【００４９】
また、上記のように構成したシート２０では、区画線２１ｂ〜２１ｇによって、外形表示線２１ａ内が１２等分に区画されるため、外形表示線２１ａ内を３：１：２の面積比で種々のパターンで区画することができる。さらに、区画線２１ｂ〜２１ｇと、区画線２１ｈ，２１ｉとを適宜組み合わせることによって、種々のパターンで外形表示線２１ａ内を３：１：２の面積比で区画することができる。
【００５０】
また、上記のように構成したシート２０では、目盛２３ａを目安として用いることによって、本体１１の内部に定容量（例えば７００ｍｌ）の食物を収納することができる。また、目盛２３ｂを目安として用いることによって、定容量（例えば７００ｍｌ）から所定量（例えば５０ｍｌ）減量した少容量（例えば６５０ｍｌ）の食物を収納することができる。なお、目盛の個数は適宜変更可能であり、また、上記した所定量（減量）は例えば３０ｍｌであってもよく適宜変更可能である。
【００５１】
また、上記のように構成したシート２０では、主食の詰み込み例を表示する図形２２ａと、主菜の詰み込み例を表示する図形２２ｂと、副菜の詰み込み例を表示する図形２２ｃを参照することによって、容易に主食、主菜および副菜をそれぞれ３：１：２の割合（容積比）で本体１１の内部に収納することができる。なお、各食物の詰み込み例は、主食、主菜および副菜がそれぞれ３：１：２の割合（容積比）となるような種々のパターンに変更可能である。
【００５２】
上記した弁当箱１０と、上記したシート２０は、別個に販売・使用可能であるが、これらを併せて（弁当箱１０とシート２０を弁当箱セットとして）販売することも可能である。弁当箱１０とシート２０を弁当箱セットとして販売すれば、弁当箱１０に食物を詰め込む際は、本体１１の区画表示部を目安として食物を収納することができ、その本体１１に食物を詰め込んだ後は、シート２０で食物の収納状態を確認できるから、容易かつ的確に主食、主菜および副菜をそれぞれ３：１：２の割合（容積比）で収納することができる。
【００５３】
（第２実施形態）
次に、本発明の第２実施形態を図面に基づいて説明する。図２３〜図３３は、本発明の第２実施形態に係る弁当箱１００を示している。弁当箱１００は、収納容量が同じで上下二段で使用されるものであって、主食を収納するための下段弁当箱１１０と、副食としての主菜および副菜を収納するための上段弁当箱１２０とを備えている。下段弁当箱１１０および上段弁当箱１２０は、同一楕円形状のものであり、各総容量（定容量）が例えば３００ｍｌに設定されていて、弁当箱１００全体としての総容量（定容量）が例えば６００ｍｌに設定されるようになっている。
【００５４】
下段弁当箱１１０は、図２４および図２５に示すように、本体１１１および中蓋１１２を備えている。本体１１１は、図２６〜図２９に示すように、その上方に開口部１１１ａを有する容器（例えば、ＰＥＴ樹脂製）であり、その底部下面に一対の脚部１１１ｂを備え、上部内周に段部１１１ｃが形成されている。段部１１１ｃは、中蓋１１２の底部周縁と係合可能とされるとともに、食物の収納容量を測定可能な深さ表示部としての機能を果たしていて、定容量（例えば３００ｍｌ）の目印となるものである。
【００５５】
中蓋１１２は、受け皿形状に形成されたもの（例えば、ポリエチレン樹脂製）であり、その外周部１１２ａにて本体１１１の開口部１１１ａに脱着可能に嵌合されるとともに、周縁部１１２ｂにて本体１１１の上端に係合するようになっている。
【００５６】
上段弁当箱１２０は、図２４および図２５に示すように、本体１２１、中蓋１２２および上蓋１２３を備えている。本体１２１は、図３０〜図３３に示すように、その上方に開口部１２１ａを有する容器（例えば、ＰＥＴ樹脂製）であり、その底部下面に一対の脚部１２１ｂを備え、底部上面にリブ１２１ｃが一体的に形成され、上部内周に段部１２１ｄが形成されている。一対の脚部１２１ｂは、下段弁当箱１１０の中蓋１１２の内周部１１２ｃに脱着可能に嵌合される。
【００５７】
リブ１２１ｃは、本体１２１の内部の容積を１：２の比で区画可能な区画表示部としての突起部であり、本体１２１の底部にて直線状に設けられている。段部１２１ｄは、中蓋１２２の底部周縁と係合可能とされるとともに、食物の収納容量を測定可能な深さ表示部としての機能を果たしていて、定容量（例えば３００ｍｌ）の目印となるものである。
【００５８】
中蓋１２２は、受け皿形状に形成されたもの（例えば、ポリエチレン樹脂製）であり、その外周部１２２ａにて本体１２１の開口部１２１ａに脱着可能に嵌合されるとともに、周縁部１２２ｂにて本体１２１の上端に係合するようになっている。上蓋１２３は、中蓋１２２および本体１２１の上部に脱着可能なもの（例えば、ＰＥＴ樹脂製）であり、その周縁部内側に形成された段部１２３ａにて中蓋１２２の周縁部１２２ｂ上面に係合するようになっている。
【００５９】
上記のように構成した弁当箱１００においては、上段弁当箱１２０の本体１２１の内部に副食を詰め込む際に、本体１２１に設けたリブ１２１ｃを目安として用いることによって、主菜と副菜とを１：２の割合（容積比）で容易に収納することができる。なお、下段弁当箱１１０の本体１１１の内部には、主食が全体に収納される。これにより、下段弁当箱１１０および上段弁当箱１２０の全体として、主食、主菜および副菜をそれぞれ３：１：２の割合（容積比）で収納することができる。
【００６０】
また、弁当箱１００においては、上段弁当箱１２０における本体１２１の内部を１：２の容積比で区画可能な区画表示部が本体１２１に一体的に形成したリブ１２１ｃである。このため、シンプルかつ安価に実施することが可能であるとともに、触覚でも容易に前記区画表示部を認識することが可能である。
【００６１】
（第２実施形態の変形実施形態）
上記した第２実施形態の弁当箱１００の構成に加えて、図３４に示すように、下段弁当箱１１０の本体１１１の内周面に突起部１１１ｄを設け、上段弁当箱１２０の本体１２１の内周面に突起部１２１ｅを設けて実施することも可能である。突起部１１１ｄ，１２１ｅも、段部１１１ｃ，１２１ｄと同様、食物の収納容量を測定可能な深さ表示部としての機能を果たすものであり、少容量（例えば２５０ｍｌ）の目印となるものである。
【００６２】
この変形実施形態の弁当箱１００Ａによれば、突起部１１１ｄ，１２１ｅを目安として用いることによって、定容量（例えば３００ｍｌ）から所定量（例えば５０ｍｌ）減量した少容量（例えば２５０ｍｌ）の食物を収納することができる。
【００６３】
上記第２実施形態およびその変形実施形態においては、弁当箱を楕円形状に形成して実施したが、この弁当箱は、例えば円形状または角形状に形成して実施することも可能であり、その形状を適宜変更して実施することも可能である。また、上記第２実施形態およびその変形実施形態においては、弁当箱の全体の総容量（定容量）を例えば６００ｍｌに設定して実施したが、これに限らず、例えば４００ｍｌ、９００ｍｌ等、その総容量を適宜変更して実施することも可能である。
【００６４】
また、上記第２実施形態およびその変形実施形態においては、図３０に示したように、上段弁当箱１２０の本体１２１に１つのリブ１２１ｃを形成して実施したが、これに加えて、図３５に示すように、リブ１２１ｆを形成して実施することも可能である。リブ１２１ｆは、リブ１２１ｃによって区画された本体１２１の一側の容積を２等分に区画可能な区画表示部としての突起部であり、リブ１２１ｃに対して略平行に延びる直線状に設けられている。この実施形態においても、本体１２１の内部に主菜と副菜とを１：２の割合（容積比）で収納することができる。
【００６５】
また、上記した２つのリブ１２１ｃ，１２１ｆに加えて、図３６に示すように、リブ１２１ｇ，１２１ｈ，１２１ｉを設けて、本体１２１の内部を６等分に区画して実施することも可能である。この場合には、６等分に区画された領域のうちの２つの領域に主菜を収納し、４つの領域に副菜を収納するようにすればよい。このように区画される領域の数が３の倍数で大きくなる程、副食の詰め込みパターンを増やすことが可能である。
【００６６】
また、上記した各実施形態（図２３〜図３６に示した各実施形態）においては、本体の内部を区画可能なリブ（区画表示部）を本体に一体的に形成して実施したが、本体の内部を区画可能なリブに代えて本体の内部を区画可能な凹部を本体に一体的に形成して実施すること、または、本体の内部を区画可能なリブに代えて本体の内部を区画可能なペイント表示（塗装）を本体に施して実施することも可能である。これらの場合において、区画表示部を本体に断続的な直線形状（破断直線形状）で設けて実施することも可能である。
【００６７】
また、上記した各実施形態（図２３〜図３６に示した各実施形態）においては、本体の内部を区画可能なリブ（区画表示部）を本体に一体的に形成して実施したが、これらのリブに代えて、図３７および図３８に示すように、本体１２１に脱着可能な仕切板１２４を用いて実施すること、または、図３９および図４０に示すように、本体１２１に脱着可能で組立・分解可能な仕切板１２５，１２６，１２７を用いて実施することも可能である。
【００６８】
図３７および図３８に示す仕切板１２４は、本体１１の内部の容積を１：２の比で区画可能な区画表示部としての直線状仕切り板であり、断面がＴ字状に形成されていて、本体１２１に脱着可能に配置されている。したがって、この仕切板１２４によっても、本体１２１の内部に主菜と副菜とを１：２の割合（容積比）で収納することができる。
【００６９】
図３９および図４０に示す仕切板１２５は、本体１２１の内部の容積を２等分に区画可能な区画表示部としての直線状仕切り板であり、本体１２１の中央に脱着可能に配置されている。仕切板１２６は、図４０に示したように、その切欠を仕切板１２５に設けた切欠に係合することにより、仕切板１２５に分解可能に組付けられていて、仕切板１２５によって区画された本体１２１の両側の各容積をそれぞれ１：２の比で区画可能である。仕切板１２７は、仕切板１２６と同様に、図４０に示したように、その切欠を仕切板１２５に設けた切欠に係合することにより、仕切板１２５に分解可能に組付けられていて、仕切板１２５によって区画された本体１２１の両側の各容積をそれぞれ１：２の比で区画可能である。したがって、これらの仕切板１２５，１２６，１２７によっても、本体１２１の内部の６等分に区画された領域のうちの２つの領域に主菜を収納し、４つの領域に副菜を収納することにより、本体１２１の内部に主菜と副菜とをそれぞれ１：２の割合（容積比）で収納することが可能である。
【００７０】
図３７および図３８に示した実施形態および図３９および図４０に示した実施形態においては、本体１２１内に食物を詰め込んでいる途中でも、仕切板１２４または仕切板１２５，１２６，１２７を目安とすることが可能であって、上記した各実施形態（本体に突起部や凹部を設けた実施形態または本体にペイント表示（塗装）を施した実施形態）に比して、主菜と副菜とを１：２の割合（容積比）で的確に収納することが可能である。
【００７１】
また、上記した各実施形態（図２３〜図４０に示した各実施形態）においては、下段弁当箱１１０の本体１１１に深さ表示部として段部１１１ｃを設け、上段弁当箱１２０の本体１２１に深さ表示部として段部１２１ｄを設けて実施したが、段部の数は適宜変更可能である。また、段部に代えて、突起部または凹部を本体に形成して実施すること、または、本体にペイント表示（塗装）を施して実施することも可能である。
【００７２】
また、図３４に示した上記変形実施形態においては、下段弁当箱１１０の本体１１１に深さ表示部として突起部１１１ｄを設け、上段弁当箱１２０の本体１２１に深さ表示部として突起部１２１ｅを設けて実施したが、突起部の数は適宜変更可能である。また、この突起部に代えて、凹部を本体に形成して実施すること、または、本体にペイント表示（塗装）を施して実施することも可能である。
【００７３】
また、上記した各実施形態（図２３〜図４０に示した各実施形態）においては、上段弁当箱１２０の本体１２１に区画表示部を設けて実施したが、この態様に加えてまたは代えて、下段弁当箱１１０の本体１１１に区画表示部を設けて実施することも可能である。
【００７４】
次に、図４１〜図４５に基づいて、本発明の第２実施形態に係る弁当箱用メジャーシート２００について説明する。弁当箱用メジャーシート２００（以下、単にシート２００という）は、上記第２実施形態に係る弁当箱１００における上段弁当箱１２０の本体１２１の開口部１２１ａに載せて使用されるものであり、角形で薄い平板状に形成されている。また、シート２００は、同シート２００を通して本体１２１の内部に収納される食物を目視可能な素材（例えば、透明または半透明の樹脂）で形成されていて、外形表示線２０１ａおよび区画線２０１ｂ，２０１ｃ，２０１ｄを有している。
【００７５】
外形表示線２０１ａは、上段弁当箱１２０の本体１２１の開口部１２１ａの形状に相当する楕円形状の実線である。区画線２０１ｂ，２０１ｃは、図４１にて図示縦方向に外形表示線２０１ａ内を３等分に区画する実線である。区画線２０１ｄは、図４１にて図示横方向に外形表示線２０１ａ内を２等分に区画する実線である。なお、外形表示線２０１ａおよび区画線２０１ｄは赤色で表示され、区画線２０１ｂは黄色で表示され、区画線２０１ｃは青色で表示されていて、各線２０１ａ〜２０１ｄを視覚的に容易に区別可能とされている。なお、外形表示線２０１ａおよび区画線２０１ｂ〜２０１ｄは、その線の種類（例えば、一点鎖線、二点鎖線）を適宜変更可能であり、また、その色を適宜変更可能である。
【００７６】
また、シート２００は、３つの隅部に、それぞれ弁当箱１００における本体１１１の内部に収納される主食の詰み込み例を表示する図形２０２ａと、本体１２１の内部に収納される主菜の詰み込み例を表示する図形２０２ｂと、本体１２１の内部に収納される副菜の詰み込み例を表示する図形２０２ｃとを有するとともに、残りの隅部に、弁当箱１００における本体１１１，１２１の内部に収納される食物の収納容量を測定可能な表示部としての目盛２０３ａ，２０３ｂを有している。目盛２０３ａは、定容量（例えば３００ｍｌ）を表示し、目盛２０３ｂは、少容量（例えば２５０ｍｌ）を表示する。目盛２０３ａ，２０３ｂを用いて、容量を測定する場合には、シート２００の、図４１にて図示左端を本体１１１，１２１の底部に接するように立設させて行う。
【００７７】
上記のように構成したシート２００においては、シート２００の外形表示線２０１ａが、上段弁当箱１２０における本体１２１の開口部１２１ａに一致するように、シート２００を本体１２１に載せることで、本体１２１の開口面を区画線２０１ｂ〜２０１ｄにより１：２の面積比で区画した状態としながら、本体１２１の内部を目視することができる。
【００７８】
例えば、図形２０２ｂ，２０２ｃで表示される詰み込み例のように、区画線２０１ｂ全体を目安として用いることによって、外形表示線２０１ａ内を１：２の面積比で区画表示することができる。これにより、本体１２１の内部に副食を詰め込んだ後で、このシート２００を用いることによって、本体１２１の内部に主菜と副菜とが１：２の割合（容積比）で収納されているか否かを容易に確認することができ、下段弁当箱１１０および上段弁当箱１２０の全体として、主食、主菜および副菜をそれぞれ３：１：２の割合（容積比）で収納することができる。また、区画線２０１ｃ全体を目安として用いることによっても、本体１２１の内部に主菜と副菜とが１：２の割合（容積比）で収納されているか否かを容易に確認することができる。
【００７９】
したがって、このシート２００は、二段で使用される弁当箱１００に主食、主菜および副菜をそれぞれ３：１：２の割合（容積比）で収納する際に極めて便利であるとともに、例えば頭書に記載した推奨案を指導するためのセミナー等における実習用補助教材としても最適である。
【００８０】
また、上記のように構成したシート２００では、区画線２０１ｂ〜２０１ｄによって、外形表示線２０１ａ内が６等分に区画されるため、外形表示線２０１ａ内を１：２の面積比で種々のパターンで区画することができる。
【００８１】
また、上記のように構成したシート２００では、目盛２０３ａを目安として用いることによって、本体１１１，１２１の内部に定容量（例えば３００ｍｌ）の食物を収納することができる。また、目盛２０３ｂを目安として用いることによって、定容量（例えば３００ｍｌ）から所定量（例えば５０ｍｌ）減量した少容量（例えば２５０ｍｌ）の食物を収納することができる。なお、目盛の個数は適宜変更可能であり、また、上記した所定量（減量）は例えば３０ｍｌであってもよく適宜変更可能である。
【００８２】
また、上記のように構成したシート２００では、主食の詰み込み例を表示する図形２０２ａと、主菜の詰み込み例を表示する図形２０２ｂと、副菜の詰み込み例を表示する図形２０２ｃを参照することによって、弁当箱１００全体として、容易に主食、主菜および副菜をそれぞれ３：１：２の割合（容積比）で収納することができる。なお、各食物の詰み込み例は、主食、主菜および副菜がそれぞれ３：１：２の割合（容積比）となるような種々のパターンに変更可能である。
【００８３】
上記した弁当箱１００と、上記したシート２００は、別個に販売・使用可能であるが、これらを併せて（弁当箱１００とシート２００を弁当箱セットとして）販売することも可能である。弁当箱１００とシート２００を弁当箱セットとして販売すれば、弁当箱１００に食物を詰め込む際は、本体１２１の区画表示部を目安として食物を収納することができ、その本体１２１に食物を詰め込んだ後は、シート２００で食物の収納状態を確認できるから、弁当箱１００全体として、容易かつ的確に主食、主菜および副菜をそれぞれ３：１：２の割合（容積比）で収納することができる。
【図面の簡単な説明】
【００８４】
【図１】一段で使用される弁当箱に本発明を実施した第１実施形態を示す外観斜視図である。
【図２】図１に示した弁当箱の中央縦断正面図である。
【図３】図１に示した弁当箱の中央縦断側面図である。
【図４】図１に示した弁当箱の上蓋を外した状態の平面図である。
【図５】図１に示した弁当箱の上蓋および中蓋を外した状態（弁当箱における本体単体）の平面図である。
【図６】図５に示した弁当箱における本体のＡ−Ａ線に沿った断面図である。
【図７】図５に示した弁当箱における本体のＢ−Ｂ線に沿った断面図である。
【図８】図２に示した弁当箱における本体に定容量を表示する突起部と所定量減量した少容量を表示する突起部を設けた変形実施形態を示す要部拡大断面図である。
【図９】図５に示した弁当箱における本体に設けた３個のリブの一つ（１１ｅ）を無くした変形実施形態を示す平面図である。
【図１０】図５に示した弁当箱における本体に設けた３個のリブの一つ（１１ｄ）を無くした変形実施形態を示す平面図である。
【図１１】一段で使用される弁当箱における本体に６個のリブを設けた変形実施形態を示す平面図である。
【図１２】一段で使用される弁当箱における本体に５個のリブを設けた変形実施形態を示す平面図である。
【図１３】一段で使用される弁当箱における本体に１１個のリブを設けた変形実施形態を示す平面図である。
【図１４】一段で使用される弁当箱における本体に３個の仕切板を設けて内部を４個に区画した変形実施形態を示す平面図である。
【図１５】図１４に示した弁当箱における本体のＣ−Ｃ線に沿った断面図である。
【図１６】一段で使用される弁当箱における本体に３個の仕切板を設けて内部を６個に区画した変形実施形態を示す平面図である。
【図１７】図１６に示した弁当箱における本体のＤ−Ｄ線に沿った断面図である。
【図１８】図１〜図１７に示した弁当箱とセットで販売されて同弁当箱における本体に食物を詰め込む際に使用される弁当箱用メジャーシートの平面図である。
【図１９】図１８に示した弁当箱用メジャーシートに記載されている主食の詰め込み例部分の拡大平面図である。
【図２０】図１８に示した弁当箱用メジャーシートに記載されている主菜の詰め込み例部分の拡大平面図である。
【図２１】図１８に示した弁当箱用メジャーシートに記載されている副菜の詰め込み例部分の拡大平面図である。
【図２２】図１８に示した弁当箱用メジャーシートに記載されている容量測定用目盛部分の拡大平面図である。
【図２３】二段で使用される弁当箱に本発明を実施した第２実施形態を示す外観斜視図である。
【図２４】図２３に示した弁当箱の中央縦断正面図である。
【図２５】図２３に示した弁当箱の中央縦断側面図である。
【図２６】図２３に示した弁当箱を構成する下段弁当箱の中蓋を外した状態（下段弁当箱における本体単体）の平面図である。
【図２７】図２６に示した下段弁当箱における本体のＥ−Ｅ線に沿った断面図である。
【図２８】図２６に示した下段弁当箱における本体のＦ−Ｆ線に沿った断面図である。
【図２９】図２６に示した下段弁当箱における本体の底面図である。
【図３０】図２３に示した弁当箱を構成する上段弁当箱の上蓋および中蓋を外した状態（上段弁当箱における本体単体）の平面図である。
【図３１】図３０に示した上段弁当箱における本体のＧ−Ｇ線に沿った断面図である。
【図３２】図３０に示した上段弁当箱における本体のＨ−Ｈ線に沿った断面図である。
【図３３】図３０に示した上段弁当箱における本体の底面図である。
【図３４】図２３に示した弁当箱を構成する下段弁当箱および上段弁当箱における各本体に定容量を表示する段部と所定量減量した少容量を表示する突起部を設けた変形実施形態を示す要部拡大断面図である。
【図３５】図３０に示した上段弁当箱における本体に２個のリブを設けた変形実施形態を示す平面図である。
【図３６】図３０に示した上段弁当箱における本体に５個のリブを設けた変形実施形態を示す平面図である。
【図３７】図３０に示した上段弁当箱における本体に１個の仕切板を設けて内部を２個に区画した変形実施形態を示す平面図である。
【図３８】図３７に示した上段弁当箱における本体のＪ−Ｊ線に沿った断面図である。
【図３９】図３０に示した上段弁当箱における本体に３個の仕切板を設けて内部を６個に区画した変形実施形態を示す平面図である。
【図４０】図３９に示した上段弁当箱における本体のＫ−Ｋ線に沿った断面図である。
【図４１】図２３〜図４０に示した弁当箱とセットで販売されて同弁当箱における本体に食物を詰め込む際に使用される弁当箱用メジャーシートの平面図である。
【図４２】図４１に示した弁当箱メジャーシートに記載されている主食の詰め込み例部分の拡大平面図である。
【図４３】図４１に示した弁当箱メジャーシートに記載されている主菜の詰め込み例部分の拡大平面図である。
【図４４】図４１に示した弁当箱メジャーシートに記載されている副菜の詰め込み例部分の拡大平面図である。
【図４５】図４１に示した弁当箱メジャーシートに記載されている容量測定用目盛部分の拡大平面図である。
【符号の説明】
【００８５】
１０，１０Ａ…弁当箱、１１…本体、１１ａ…開口部、１１ｂ…脚部、１１ｃ，１１ｄ，１１ｅ，１１ｈ，１１ｉ，１１ｊ，１１ｋ，１１ｍ，１１ｎ，１１ｐ，１１ｑ，１１ｒ，１１ｓ，１１ｔ，１１ｕ，１１ｖ，１１ｗ…リブ（区画表示部）、１１ｆ…上方突起部（深さ表示部）、１１ｇ…下方突起部（深さ表示部）、１２…中蓋、１３…上蓋、１４…箸、１５ａ，１５ｂ，１５ｃ，１６ａ，１６ｂ，１６ｃ…仕切板（区画表示部）、２０…弁当箱用メジャーシート、２１ａ…外形表示線、２１ｂ，２１ｃ，２１ｄ，２１ｅ，２１ｆ，２１ｇ，２１ｈ，２１ｉ…区画線、２２ａ，２２ｂ，２２ｃ…図形、２３ａ，２３ｂ…目盛（深さ表示部）、１００，１００Ａ…弁当箱、１１０…下段弁当箱、１１１…本体、１１１ａ…開口部、１１１ｃ…段部（深さ表示部）１１１ｄ…突起部（深さ表示部）、１１２…中蓋、１２０…上段弁当箱、１２１…本体、１２１ａ…開口部、１２１ｂ…脚部、１２１ｃ，１２１ｆ，１２１ｇ，１２１ｈ，１２１ｉ…リブ（区画表示部）、１２１ｄ…段部（深さ表示部）、１２１ｅ…突起部（深さ表示部）、１２２…中蓋、１２３…上蓋、１２４，１２５，１２６，１２７…仕切板、２００…弁当箱用メジャーシート、２０１ａ…外形表示線、２０１ｂ，２０１ｃ，２０１ｄ…区画線、２０２ａ，２０２ｂ，２０２ｃ…図形、２０３ａ，２０３ｂ…目盛（深さ表示部）
【図１】
2007330456.tif 000003
【図２】
2007330456.tif 000004
【図３】
2007330456.tif 000005
【図４】
2007330456.tif 000006
【図５】
2007330456.tif 000007
【図６】
2007330456.tif 000008
【図７】
2007330456.tif 000009
【図８】
2007330456.tif 000010
【図９】
2007330456.tif 000011
【図１０】
2007330456.tif 000012
【図１１】
2007330456.tif 000013
【図１２】
2007330456.tif 000014
【図１３】
2007330456.tif 000015
【図１４】
2007330456.tif 000016
【図１５】
2007330456.tif 000017
【図１６】
2007330456.tif 000018
【図１７】
2007330456.tif 000019
【図１８】
2007330456.tif 000020
【図１９】
2007330456.tif 000021
【図２０】
2007330456.tif 000022
【図２１】
2007330456.tif 000023
【図２２】
2007330456.tif 000024
【図２３】
2007330456.tif 000025
【図２４】
2007330456.tif 000026
【図２５】
2007330456.tif 000027
【図２６】
2007330456.tif 000028
【図２７】
2007330456.tif 000029
【図２８】
2007330456.tif 000030
【図２９】
2007330456.tif 000031
【図３０】
2007330456.tif 000032
【図３１】
2007330456.tif 000033
【図３２】
2007330456.tif 000034
【図３３】
2007330456.tif 000035
【図３４】
2007330456.tif 000036
【図３５】
2007330456.tif 000037
【図３６】
2007330456.tif 000038
【図３７】
2007330456.tif 000039
【図３８】
2007330456.tif 000040
【図３９】
2007330456.tif 000041
【図４０】
2007330456.tif 000042
【図４１】
2007330456.tif 000043
【図４２】
2007330456.tif 000044
【図４３】
2007330456.tif 000045
【図４４】
2007330456.tif 000046
【図４５】
2007330456.tif 000047